(57)【要約】      （修正有）【課題】トレーニングの程度により使用状況の調整ができる腕立て伏せトレーニング器具を提供する。【解決手段】腕立て伏せトレーニング器具は第一支持座１０と、第二支持座２０と、握り部材３０とを含む。第一支持座の接合スリーブ１２と第二支持座の挿し込みスリーブ２２が提供する組み込み深さが異なり、また握り部材は異なる長さの長枢接部３２と短枢接部３３によってそれぞれ第一、二支持座と組み合わせて取り付けられる。握り部材は第一、二支持座と取り付けられる際、任意に組み合わせられることで異なる使用角度と状態になり、構造使用上の変化性が高められる。さらに第一、二支持座を互いに入れ替えれば使用状態の変化が完成され、構造を組み替える利便性が増す。【選択図】図２
0003212221.tif 000002
【実用新案登録請求の範囲】
【請求項１】
第一支持座と、第二支持座と、握り部材とを含む腕立て伏せトレーニング器具であって、
上記第一支持座は、中空の横向き棒体と、上記横向き棒体の中央部分と垂直に設置される接合スリーブとを有し、上記接合スリーブの内部に接合孔が形成され、また上記接合孔の深さは横向き棒体の中空部分まで差し込まれ中空部分と繋がり、
上記第二支持座は、中空の横向き棒体と、上記横向き棒体の中央部分と垂直に設置される挿し込みスリーブとを有し、上記挿し込みスリーブの内部に挿し込み孔が形成され、また上記挿し込み孔の深さは上記接合孔より浅く、上記挿し込みスリーブ内に挿し込まれるだけであり、
上記握り部材は、握り部があり、上記握り部の両端部には同じ方向に、そして互いに平行するが、長さが異なる長枢接部と短枢接部とが設けられ、上記長枢接部と短枢接部は第一、二支持座と任意に組み合わせて接合されることで腕立て伏せトレーニング器具が完成されることを特徴とする腕立て伏せトレーニング器具。
【請求項２】
上記第一支持座は上記接合スリーブの接合孔の両側に対称的に二つの位置決め凹み溝が設けられ、上記第二支持座は上記挿し込みスリーブの挿し込み孔の両側に対称的に二つの位置限定凹み溝が設けられることを特徴とする請求項１に記載の腕立て伏せトレーニング器具。
【請求項３】
上記握り部材の長枢接部と短枢接部とはすべて両側に互いに対称する凸状リブが設けられ、また上記凸状リブによって上記長枢接部と上記短枢接部とが上記第一、二支持座と組み立てて位置決めされることを特徴とする請求項２に記載の腕立て伏せトレーニング器具。
【請求項４】
上記握り部材の長枢接部は握り部との間に９０度より小さい夾角が形成され、上記短枢接部は握り部との間に９０度より大きい夾角が形成されることを特徴とする請求項１または３に記載の腕立て伏せトレーニング器具。
【請求項５】
上記握り部材の握り部には滑り止めシートが嵌められることを特徴とする請求項４に記載の腕立て伏せトレーニング器具。
【請求項６】
上記第一、二支持座の横向き棒体の両端部にはすべて滑り止め管栓が嵌められることを特徴とする請求項１に記載の腕立て伏せトレーニング器具。
【考案の詳細な説明】
【技術分野】
【０００１】
本考案はトレーニング器具に関し、特に腕立て伏せトレーニング器具に関する。
【背景技術】
【０００２】
いわゆる腕立て伏せとは両手を地面に着き、両足を伸ばして体は地面に向かって傾斜状姿勢となる。両肘を曲げたり伸ばしたりする変化によって、体は上下に位置移動して上半身のトレーニング目的が達成できる。該伝統的な腕立て伏せをする際は地面が汚れている場合、手のひらが地面上で支えるために両手が汚れやすく、また床の表面がつるつるしすぎる場合、腕立て伏せをする時に手が滑りやすく、スポーツ障害になる。このため、市場で腕立て伏せトレーニング器具が発売され、トレーニング器具によってしっかり地面上で支え、さらにトレーニング器具を両手で握ることができることで、両手を汚すことと滑って怪我することが避けられ、また体と地面の距離が開けられてトレーニングの効果が高められる。しかし、従来の腕立て伏せトレーニング器具はすべて固定式の設計で、トレーニングの程度によって使用状態が調整できないため、構造上使用において単調で、退屈で、実用性と趣味性が乏しく、消費者の購入意欲が減少され、経済効果がない。
【０００３】
従って、本考案者は長年にわたって関係商品の製造開発と設計に携わった経験により、上述の目標について緻密に設計した上で、かつ慎重に検討した後、実用性に満ちた本考案を得た。
【考案の概要】
【考案が解決しようとする課題】
【０００４】
本考案が解決しようとする課題は現在技術における上述の欠点を解決し、腕立て伏せトレーニング器具を提供する。
【課題を解決するための手段】
【０００５】
本考案の腕立て伏せトレーニング器具は第一支持座と、第二支持座と、握り部材とを含む。該第一支持座には中空の横向き棒体があり、それに該横向き棒体の中央部分と垂直に設置される接合スリーブがある。該接合スリーブの内部に接合孔が形成され、また該接合孔の深さは横向き棒体の中空部分まで差し込まれ中空部分と繋がる。該第二支持座には中空の横向き棒体があり、それに該横向き棒体の中央部分と垂直に設置される挿し込みスリーブがある。該挿し込みスリーブの内部に挿し込み孔が形成され、また該挿し込み孔の深さは該接合孔より浅く、該挿し込みスリーブ内に挿し込まれるだけである。該握り部材には握り部があり、該握り部の両端部には同じ方向に、そして互いに平行するが、長さが異なる長枢接部と短枢接部とが設けられる。該長枢接部と短枢接部は第一、二支持座と任意に組み合わせて接合されることで腕立て伏せトレーニング器具が完成される。
【０００６】
該第一支持座は該接合スリーブの接合孔の両側に対称的に二つの位置決め凹み溝が設けられ、該第二支持座は該挿し込みスリーブの挿し込み孔の両側に対称的に二つの位置限定凹み溝が設けられる。
【０００７】
該握り部材の長、短枢接部はすべて両側に互いに対称な凸状リブが設けられ、またこれらの凸状リブによって長、短枢接部が該第一、二支持座と組み立てて位置決めされる。
【０００８】
該握り部材の長枢接部は握り部との間に９０度より小さい夾角が形成され、該短枢接部は握り部との間に９０度より大きい夾角が形成される。
【０００９】
該握り部材の握り部には滑り止めシートが嵌められる。
【００１０】
該第一、二支持座の横向き棒体の両端部にはすべて滑り止め管栓が嵌められる。
【００１１】
従来の技術と照らし合わせると、該第一支持座の接合スリーブと第二支持座の挿し込みスリーブが提供する組み込み深さが異なり、また該握り部材は異なる長さの長枢接部と短枢接部によってそれぞれ該第一、二支持座と組み合わせて取り付けられる。握り部材は第一、二支持座と取り付けられる際、任意に組み合わせられることで異なる使用角度と状態になり、構造使用上の変化の度合いが高められる。さらに該第一、二支持座を互いに入れ替えれば使用状態の変化が完成され、構造を組み替える利便性が増す。
【図面の簡単な説明】
【００１２】
【図１】図１は、本考案に係る腕立て伏せトレーニング器具を示す立体図である。
【図２】図２は、本考案に係る腕立て伏せトレーニング器具を示す分解図である。
【図３】図３は、本考案に係る腕立て伏せトレーニング器具を示す組合せ断面図である。
【図４】図４は、本考案が運動使用する時の参考図（一）である。
【図５】図５は、本考案が運動使用する時の参考図（二）である。
【図６】図６は、本考案のもう一つの組み合わせ方式の分解図である。
【図７】図７は、本考案のもう一つの組み合わせ方式の断面図である。
【図８】図８は、本考案のもう一つの組み合わせ方式の立体図である。
【考案を実施するための形態】
【００１３】
まず、図１、２、３を参照されたい。腕立て伏せトレーニング器具は第一支持座１０と、第二支持座２０と、握り部材３０とを含む。該第一支持座１０には中空の横向き棒体１１があり、それに該横向き棒体１１の中央部分と垂直に設置される接合スリーブ１２がある。該接合スリーブ１２の内部に接合孔１２１が形成され、また該接合孔１２１の深さは横向き棒体１１の中空部分まで差し込まれ中空部分と繋がり、さらに該接合孔１２１の両側に対称的に二つの位置決め凹み溝１２２が設けられる。該第二支持座２０には中空の横向き棒体２１があり、それに該横向き棒体２１の中央部分と垂直に設置される挿し込みスリーブ２２がある。該挿し込みスリーブ２２の内部に挿し込み孔２２１が形成され、また該挿し込み孔２２１の深さは該接合孔１２１より浅く、該挿し込みスリーブ２２内に挿し込まれるだけであり、さらに該挿し込み孔２２１の両側に対称的に二つの位置限定凹み溝２２２が設けられる。また該第一支持座１０、第二支持座２０の横向き棒体１１、２１の両端部にはすべて滑り止め管栓１３、２３が嵌められる。該握り部材３０には握り部３１があり、該握り部３１には滑り止めシート３１１が嵌められる。さらに該握り部３１の両端部には同じ方向、そして互いに平行するが、長さが異なる長枢接部３２と短枢接部３３が設けられる。該長枢接部３２は握り部３１との間に９０度より小さい夾角が形成され、該短枢接部３３は握り部３１との間に９０度より大きい夾角が形成される。また該長枢接部３２、短枢接部３３はすべて両側に互いに対称な凸状リブ３２１、３３１が設けられ、該長枢接部３２と該短枢接部３３は該第一支持座１０、第二支持座２０と任意に組み合わせて接合されることで腕立て伏せトレーニング器具が完成される。
【００１４】
構造の組み立て及び実施の使用状態は引き続き図２、３と図４、５を合わせて参照されたい。該第一支持座１０と該第二支持座２０は該握り部材３０と組み立ててトレーニング器具に構成される。そして該器具は二つを一組にして消費者のトレーニング用に提供される。その中で、該第一支持座１０は接合スリーブ１２によって該握り部材３０の長枢接部３２に取り付けられ、さらに接合孔１２１両側の位置決め凹み溝１２２によって凸状リブ３２１と合致して位置決めされる。該第二支持座２０は挿し込みスリーブ２２によって該握り部材３０の短枢接部３３に取り付けられ、さらに挿し込み孔２２１両側の位置限定凹み増２２２によって凸状リブ３２１と合致して位置決めされる。これで該トレーニング器具の組み立てが完成される。そして該第一支持座１０、第二支持座２０の横向き棒体１１、２１が互いに平行状態になるように平面に支えられる。該握り部材３０の握り部３１は使用者が握るために提供されることで腕立て伏せまたは核心筋肉の強化のトレーニング動作が進められる。
【００１５】
しかし、上述のトレーニング器具の組み立ては該長枢接部３２が第一支持座１０の接合スリーブ１２内に取り付けられ、さらに該短枢接部３３が該第二支持座２０の挿し込みスリーブ２２内に取り付けられる。該接合スリーブ１２の接合孔１２１の深さは横向き棒体１１の中空部までに延長されるため、該長枢接部３２は該接合スリーブ１２内に比較的に深く取り付けられ、地面との距離が縮められる。反対に、該挿し込みスリーブ２２の挿し込み孔２２１の深さは横向き棒体２１の中空部まで達さないために該短枢接部３３の取り付け深さは比較的に浅く、地面との距離が離され、次第に該短枢接部３３と該長枢接部３２との間の落差が補填され、該握り部材３０の長枢接部３２、短枢接部３３と第一支持座１０、第二支持座２０が組み立てられた後は同じ高さになり、同時に握り部３１が水平状態になって使用者が握って運動することに提供される。
【００１６】
さらに、構造のもう一つの組み合わせ使用状態は引き続き図６、７、８を参照されたい。該第一支持座１０は接合スリーブ１２によって握り部材３０の短枢接部３３に取り付けられる。該第二支持座２０は挿し込みスリーブ２２によって握り部材３０の長枢接部３２に取り付けられる。これによって、該短枢接部３３は該長枢接部３２より短いため、該短枢接部３３は該第一支持座１０の接合スリーブ１２と嵌め合わせて組み立てられる際、接合孔１２１の深さは横向き棒体１１の中空部までに延長されるため、該短枢接部３３の取り付け深さが大幅に増加され、次第に地面との距離が縮められる。反対に、該長枢接部３２は該第二支持座２０の挿し込みスリーブ２２と嵌め合わせて組み立てられる際、挿し込み孔２２１の深さは比較的に浅いため、該長枢接部３２の取り付け深さが減少され、同時に該長枢接部３２は地面との距離が離され、該握り部材３０の長枢接部３２は短枢接部３３より高くなり、握り部３１が傾斜状態となることで握り部材３０の使用角度の変換が達され、該トレーニング器具の変化性が高められる。
【００１７】
上述の具体的な実施例の構造によって、以下の効果が得られる。該第一支持座１０の接合スリーブ１２と該第二支持座２０の挿し込みスリーブ２２が提供する組み込み深さが異なり、また該握り部材３０は異なる長さの長枢接部３２と短枢接部３３によってそれぞれ該第一支持座１０、第二支持座２０と組み合わせて取り付けられる。握り部材３０は第一支持座１０、第二支持座２０と取り付けられる際、任意に組み合わせられることで異なる使用角度と状態になり、構造使用上の変化性が高められる。さらに該第一支持座１０、第二支持座２０を互いに入れ替えれば使用状態の変化が完成され、構造を組み替える利便性が増す。
【００１８】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００１９】
１０        第一支持座
１１        横向き棒体
１２        接合スリーブ
１２１      接合孔
１２２      位置決め凹み溝
１３        滑り止め管栓
２０        第二支持座
２１        横向き棒体
２２        挿し込みスリーブ
２２１      挿し込み孔
２２２      位置限定凹み溝
２３        滑り止め管栓
３０        握り部材
３１        握り部
３１１      滑り止めシート
３２        長枢接部
３２１      凸状リブ
３３        短枢接部
３３１      凸状リブ
【図１】
0003212221.tif 000003
【図２】
0003212221.tif 000004
【図３】
0003212221.tif 000005
【図４】
0003212221.tif 000006
【図５】
0003212221.tif 000007
【図６】
0003212221.tif 000008
【図７】
0003212221.tif 000009
【図８】
0003212221.tif 000010